(57)【要約】【課題】  ユーザが所望する記録項目を選択してその履歴を記録することができ、記録された履歴の中からユーザが所望する記録項目の履歴のみを通知することができるようにする。【解決手段】  記録装置の履歴を記録する記録項目を選択し、記録装置の同一動作状態が予め設定された時間継続したとき、選択された記録項目の履歴を記録し、記録された記録項目の中から通知する記録項目を選択して、選択された記録項目の履歴を通知するようにする。【選択図】        図５
2006033118.tif 000002
【特許請求の範囲】
【請求項１】
映像データを記録媒体に記録する記録装置であって、
記録装置の履歴を記録する記録項目を選択する第１の選択手段と、前記記録装置の同一動作状態が予め設定された第１の時間継続したか否かを判別する判別手段と、前記判別手段により前記記録装置の動作が予め設定された第１の時間継続したと判別されたとき、前記第１の選択手段により選択された記録項目の履歴を記録する記録手段と、前記記録手段により記録された記録項目の中から通知する記録項目を選択する第２の選択手段と、予め設定された第２の時間が経過する毎に、或いはユーザが記録項目の履歴の通知を要求したとき、前記第２の選択手段により選択された記録項目の履歴を印字又は音声で通知する通知手段と、予め設定された第２の時間が経過する毎に、前記第２の選択手段により選択された記録項目の履歴を所定のファイル形式で記録してファイルを更新するファイル更新手段と、予め設定された第２の時間が経過する毎に、前記ファイル更新手段により更新されたファイルを転送するファイル転送手段とを備えたことを特徴とする記録装置。
【請求項２】
映像データを記録媒体に記録する記録装置であって、
記録装置の履歴を記録する記録項目を選択する第１の選択手段と、前記記録装置の同一動作状態が予め設定された第１の時間継続したか否かを判別する判別手段と、前記判別手段により前記記録装置の動作が予め設定された第１の時間継続したと判別されたとき、前記第１の選択手段により選択された記録項目の履歴を記録する記録手段と、前記記録手段により記録された記録項目の中から通知する記録項目を選択する第２の選択手段と、前記第２の選択手段により選択された記録項目の履歴を通知する通知手段とを備えたことを特徴とする記録装置。
【請求項３】
前記通知手段は、予め設定された第２の時間が経過する毎に、前記第２の選択手段により選択された記録項目の履歴を通知するようにしたことを特徴とする請求項２記載の記録装置。
【請求項４】
前記通知手段は、ユーザが記録項目の履歴の通知を要求したとき、前記第２の選択手段により選択された記録項目の履歴を通知するようにしたことを特徴とする請求項２記載の記録装置。
【請求項５】
前記通知手段は、前記第２の選択手段により選択された記録項目の履歴を印字して通知するようにしたことを特徴とする請求項２記載の記録装置。
【請求項６】
前記通知手段は、前記第２の選択手段により選択された記録項目の履歴を音声で通知するようにしたことを特徴とする請求項２記載の記録装置。
【請求項７】
前記第２の選択手段により選択された記録項目の履歴を所定のファイル形式で記録してファイルを更新するファイル更新手段と、前記ファイル更新手段により更新されたファイルを転送するファイル転送手段とを更に備えたことを特徴とする請求項２記載の記録装置。
【請求項８】
前記ファイル更新手段は、予め設定された第２の時間が経過する毎に、前記第２の選択手段により選択された記録項目の履歴を所定のファイル形式で記録してファイルを更新するようにしたことを特徴とする請求項７記載の記録装置。
【請求項９】
前記ファイル転送手段は、予め設定された第２の時間が経過する毎に、前記ファイル更新手段により更新されたファイルを転送するようにしたことを特徴とする請求項７記載の記録装置。
【発明の詳細な説明】
【技術分野】
【０００１】
本発明は、映像データを記録媒体に記録する記録装置に係り、特にユーザが所望する記録項目の履歴を記録し、記録された記録項目の履歴の中からユーザが所望する記録項目の履歴を通知する記録装置に関する。
【背景技術】
【０００２】
近年、記録媒体の記録容量が大容量化され、多量の映像データを記録媒体に記録することができるようになってきた。しかし、多量の映像データの履歴を記録するには、大容量の記録媒体が必要になるため、記録された履歴が古い順次に削除され、一定量の最新の履歴のみが保存されるようになっている。そのため、長期間未再生の古い映像データの履歴は、記録後、長期間経過すると削除され、その履歴が全くわからなくなっていた。また、映像データの履歴は、所定の記録項目の履歴が記録されるようになっていて、ユーザが所望する記録項目を選択してその履歴を記録することができないという問題点があった。また、記録された履歴の中からユーザが所望する記録項目の履歴のみを通知することができないという問題点があった。
背景技術としては、コンテンツの状態遷移を検出して、検出されたコンテンツの状態遷移をメトリック値に変換し、変換されたメトリック値を累積してユーザの操作履歴を記録するようにしたものがあった（例えば、特許文献１参照）。
また、外部機器から出力される動作状況を動作履歴として登録し、登録された動作履歴に基づいて外部機器の標準化動作を策定し、その時点における外部機器の動作状況と策定された標準化動作とが異なる場合に、外部機器に該当する動作状況へ移行させるようにしたものがあった（例えば、特許文献２参照）。
【特許文献１】特開２００４−１４０４８１号公報
【特許文献２】特開２００１−３１８７１７号公報
【発明の開示】
【発明が解決しようとする課題】
【０００３】
しかしながら、背景技術で述べたもののうち前者においては、コンテンツの状態遷移を検出して、検出されたコンテンツの状態遷移をメトリック値に変換し、変換されたメトリック値を累積してユーザの操作履歴を記録することができたが、ユーザが誤って操作した場合であっても、その操作履歴が記録されるため、ユーザが所望しない操作履歴まで記録されるという問題点があった。
また、後者においては、外部機器から出力される動作状況を動作履歴として登録し、登録された動作履歴に基づいて外部機器の標準化動作を策定し、その時点における外部機器の動作状況と策定された標準化動作とが異なる場合に、外部機器に該当する動作状況へ移行させることができたが、ユーザが所望する記録項目を選択してその履歴を記録し、記録された履歴の中からユーザが所望する記録項目の履歴のみを通知するようにしたものではなかった。
本発明は、背景技術の有するこのような問題点に鑑みてなされたものであり、その目的とするところは、ユーザが所望する記録項目を選択してその履歴を記録することができ、記録された履歴の中からユーザが所望する記録項目の履歴のみを通知することができる記録装置を提供しようとするものである。
【課題を解決するための手段】
【０００４】
上記目的を達成するため本発明においては、映像データを記録媒体に記録する記録装置であって、記録装置の履歴を記録する記録項目を選択する第１の選択手段と、前記記録装置の同一動作状態が予め設定された第１の時間継続したか否かを判別する判別手段と、前記判別手段により前記記録装置の動作が予め設定された第１の時間継続したと判別されたとき、前記第１の選択手段により選択された記録項目の履歴を記録する記録手段と、前記記録手段により記録された記録項目の中から通知する記録項目を選択する第２の選択手段と、前記第２の選択手段により選択された記録項目の履歴を通知する通知手段とを備える。
前記通知手段は、予め設定された第２の時間が経過する毎に、前記第２の選択手段により選択された記録項目の履歴を通知するようにするとよい。
また、前記通知手段は、ユーザが記録項目の履歴の通知を要求したとき、前記第２の選択手段により選択された記録項目の履歴を通知するようにするとよい。
また、前記通知手段は、前記第２の選択手段により選択された記録項目の履歴を印字して通知するようにするとよい。
また、前記通知手段は、前記第２の選択手段により選択された記録項目の履歴を音声で通知するようにするとよい。
更に、前記第２の選択手段により選択された記録項目の履歴を所定のファイル形式で記録してファイルを更新するファイル更新手段と、前記ファイル更新手段により更新されたファイルを転送するファイル転送手段とを備える。
前記ファイル更新手段は、予め設定された第２の時間が経過する毎に、前記第２の選択手段により選択された記録項目の履歴を所定のファイル形式で記録してファイルを更新するようにするとよい。
前記ファイル転送手段は、予め設定された第２の時間が経過する毎に、前記ファイル更新手段により更新されたファイルを転送するようにするとよい。
これらの手段により、ユーザが所望する記録項目を選択してその履歴を記録することができ、記録された履歴の中からユーザが所望する記録項目の履歴のみを通知することができる。
【発明の効果】
【０００５】
請求項１記載の発明に係る記録装置によれば、記録装置の履歴を記録する記録項目を選択し、記録装置の同一動作状態が予め設定された時間継続したとき、選択された記録項目の履歴を記録し、記録された記録項目の中から通知する記録項目を選択して、予め設定された時間が経過する毎に、或いはユーザが記録項目の履歴の通知を要求したとき、選択された記録項目の履歴を印字し、或いは音声で通知して、予め設定された時間が経過する毎に、選択された記録項目の履歴を所定のファイル形式で記録してファイルを更新し、更新されたファイルを転送するようにしているので、ユーザが所望する記録項目を選択してその履歴を記録することができ、記録された履歴の中からユーザが所望する記録項目の履歴のみを通知することができる。また、転送されたファイルを利用することができるソフトウェアにより高度な履歴の管理を行うことができる。
請求項２記載の発明に係る記録装置によれば、記録装置の履歴を記録する記録項目を選択し、記録装置の同一動作状態が予め設定された時間継続したとき、選択された記録項目の履歴を記録し、記録された記録項目の中から通知する記録項目を選択して、選択された記録項目の履歴を通知するようにしているので、ユーザが所望する記録項目を選択してその履歴を記録することができ、記録された履歴の中からユーザが所望する記録項目の履歴のみを通知することができる。
請求項３記載の発明に係る記録装置によれば、予め設定された時間が経過する毎に、選択された記録項目の履歴を通知するようにしているので、予め設定された時間毎に、ユーザが所望する記録装置の履歴を知ることができる。
請求項４記載の発明に係る記録装置によれば、ユーザが記録項目の履歴の通知を要求したとき、選択された記録項目の履歴を通知するようにしているので、履歴の通知を要求することにより、ユーザが所望する記録装置の履歴を知ることができる。
請求項５記載の発明に係る記録装置によれば、選択された記録項目の履歴を印字して通知するようにしているので、ユーザが所望する記録項目の履歴をファイリングして保存することができる。
請求項６記載の発明に係る記録装置によれば、選択された記録項目の履歴を音声で通知するようにしているので、印字された記録項目の履歴を見なくても、ユーザが所望する記録項目の履歴を知るができる。
請求項７記載の発明に係る記録装置によれば、選択された記録項目の履歴を所定のファイル形式で記録してファイルを更新し、更新されたファイルを転送するようにしているので、転送されたファイルを利用することができるソフトウェアにより高度な履歴の管理を行うことができる。
請求項８記載の発明に係る記録装置によれば、予め設定された時間が経過する毎に、選択された記録項目の履歴を所定のファイル形式で記録してファイルを更新するようにしているので、記録装置の履歴の記録漏れをなくすことができる。
請求項９記載の発明に係る記録装置によれば、予め設定された時間が経過する毎に、更新されたファイルを転送するようにしているので、更新されたファイルの転送漏れをなくすことができる。
【発明を実施するための最良の形態】
【０００６】
以下、適宜図面を参照しながら本発明を実施するための最良の形態を詳述する。図１は本発明の一実施例の記録装置の構成を示すブロック図であり、図２は本発明の一実施例の記録装置の履歴の印字例を示す図であり、図３は本発明の一実施例の記録装置の履歴記録の設定動作を示すフローチャートであり、図４は本発明の一実施例の記録装置の履歴記録の動作を示すフローチャートであり、図５は本発明の一実施例の記録装置の履歴通知の動作を示すフローチャートである。
まず、図１の本発明の一実施例の記録装置の構成を示すブロック図を基に説明する。
記録装置１は、アンテナ１６により受信されたテレビ放送電波から選択されたチャンネルのテレビ放送を受信するチューナ２と、映像データの信号を処理する信号処理回路３と、映像データをビデオカセットテープに記録再生するＶＣＲ（Ｖｉｄｅｏ  Ｃａｓｓｅｔｔｅ  Ｒｅｃｏｒｄｅｒ）部４と、映像データをＤＶＤ（Ｄｉｇｉｔａｌ  Ｖｅｒｓａｔｉｌｅ  Ｄｉｓｋ）等の光ディスクに記録再生するＤＶＤ部５と、映像データをハードディスクに記録再生するＨＤＤ（Ｈａｒｄ  Ｄｉｓｋ  Ｄｒｉｖｅ）部６と、ＶＣＲ部４、ＤＶＤ部５、及びＨＤＤ部６の記録再生を制御するストレージ制御部７と、文字情報信号を映像信号に重畳して、文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路８と、音声信号を増幅してスピーカ４０を駆動する音声出力回路９と、音声データを記憶する音声ＲＯＭ１０と、コンピュータ、プリンタ等の外部装置５０にデータを転送するインタフェース回路１１と、記録装置１のシステム全体を制御するマイコン１２と、各種データを記憶するメモリ１３と、日付と時刻とを管理し、経過時間を計時するクロック回路１４と、リモコン装置２０から送信された赤外線信号のリモコン信号を受信して、所定の電気信号に変換するリモコン受信部１５とで構成されている。
以上のように構成された記録装置について、以下その動作について説明する。
ユーザがリモコン装置２０の操作キー操作してメニュ画面（図示せず）の記録装置の履歴記録の設定を選択すると、マイコン１２は、モニタ装置３０の画面に記録装置の履歴記録の設定画面（図示せず）を表示して、記録装置の履歴を記録する記録装置の選択処理を実行する。ユーザの指示により記録装置１のＶＣＲ部４、ＤＶＤ部５又はＨＤＤ部６が選択されると、マイコン１２は、選択された記録装置１のＶＣＲ部４、ＤＶＤ部５又はＨＤＤ部６の動作の履歴を記録するために、その選択をメモリ１３に記憶する。
また、マイコン１２は、記録装置１の同一動作が予め設定された時間継続したとき、その履歴を記録する最短時間が設定されているか否かを判断して、最短時間が設定されていない場合、最短時間を０に設定してメモリ１３に記憶する。最短時間が０に設定されると、記録装置１が動作する毎に、その履歴がＨＤＤ部６のハードディスクに記録される。なお、最短時間は、メニュ画面（図示せず）の選択項目を選択して設定することができるようになっていて、例えば、最短時間が１時間に設定されると、記録装置１の同一動作が１時間継続したときに、その履歴がＨＤＤ部６のハードディスクに記録される。
また、マイコン１２は、ユーザの指示によりチューナ２によるテレビ放送受信時に受信したチャンネルの履歴を記録するチューナ受信時の履歴の記録が選択された場合、チューナ受信記録フラグをセットしてメモリ１３に記憶し、チューナ受信時の履歴の記録が選択されない場合、チューナ受信記録フラグをリセットしてメモリ１３に記憶する。
また、マイコン１２は、モニタ装置３０の画面に映像データのダビング時にその履歴を記録するダビングパターンの選択画面（図示せず）をＶＣＲ部４、ＤＶＤ部５、ＨＤＤ部６毎に表示して、記録装置のダビングパターンの選択処理を実行し、ユーザの指示により選択されたそれぞれのダビングパターン、例えば、日付、時刻、ＶＣＲやＤＶＤ等の記録装置、ＤＶＤ−ＲＷやＤＶＤ−Ｒ等の記録媒体、ＸＰモードやＳＰモード等の画質モード、ＶＲやＳ−ＶＨＳ等の記録方式、チューナ入力や記録媒体等のソース等をメモリ１３に記憶する。
また、マイコン１２は、モニタ装置３０の画面に記録装置の履歴を記録する記録項目と記録された記録項目の中から履歴を通知する記録項目との選択画面（図示せず）をＶＣＲ部４、ＤＶＤ部５、ＨＤＤ部６毎に表示して、履歴を記録する記録項目と履歴を通知する記録項目との選択処理を実行し、ユーザの指示により選択されたＶＣＲ部４、ＤＶＤ部５、ＨＤＤ部６のそれぞれの履歴を記録する記録項目と履歴を通知する記録項目とをメモリ１３に記憶する。
記録装置１の同一動作が予め設定された最短時間継続すると、マイコン１２は、記録装置１の履歴の記録が設定されている場合、履歴の記録が選択された記録装置１のＶＣＲ部４、ＤＶＤ部５又はＨＤＤ部６が履歴の記録が選択されたダビングパターンの動作を実行したか否かを判断する。そして、履歴の記録が選択された記録装置１のＶＣＲ部４、ＤＶＤ部５又はＨＤＤ部６が履歴の記録が選択されたダビングパターンの動作を実行した場合、マイコン１２は、履歴の記録が選択された記録装置１の記録項目の履歴をＨＤＤ部６のハードディスクに圧縮して記録する。
ユーザがリモコン装置２０の操作キーを操作して履歴の通知を要求するか、或いは履歴を通知する予め設定された通知時間が経過する毎に、マイコン１２は、印字による履歴の通知が設定されているか否かを判別して、印字による履歴の通知が設定されている場合、ＨＤＤ部６のハードディスクに記録されている記録装置１の記録項目の中から履歴の通知が選択された記録項目の履歴を抽出して印字する（図２参照）。履歴の印字不可である場合は、その印字エラーの詳細、例えば、インクなし、用紙なし等がモニタ装置３０の画面に表示されて通知される。
また、音声による履歴の通知が設定されている場合、マイコン１２は、ＨＤＤ部６のハードディスクに記録されている記録装置１の記録項目の中から履歴の通知が選択された記録項目の履歴を抽出し、抽出された履歴をスピーカ５０により音声を発して通知する。
また、記録装置１の履歴のファイル保存が設定されている場合、マイコン１２は、ＨＤＤ部６のハードディスクに記録されている記録装置１の記録項目の履歴を所定のファイル形式で記録してファイルを更新し、ファイルの更新をモニタ装置３０の画面に表示して通知する。履歴のファイル保存ができなかった場合は、ファイル保存エラーの詳細、例えば、ハードディスクの記録領域の空き容量不足等がモニタ装置３０の画面に表示されて通知される。
また、記録装置１の履歴のファイル転送が設定されている場合、マイコン１２は、ＨＤＤ部６のハードディスクに記録されている所定形式のファイルをインタフェース回路１１を介して外部装置５０に転送して、ファイル転送情報をＨＤＤ部６のハードディスクに記録する。ファイル転送が失敗した場合、マイコン１２は、ファイル転送エラーをモニタ装置３０の画面に表示して通知し、ファイル転送エラー情報をＨＤＤ部６のハードディスクに記録する。
また、図３の本発明の一実施例の記録装置の履歴記録の設定動作を示すフローチャートを基に説明する。
リモコン装置のキー操作によりメニュ画面の記録装置の履歴記録の設定が選択されると、ステップＳ１からステップＳ２に進み、ステップＳ２で、履歴を記録する記録装置の選択処理が実行されて、ステップＳ３に進む。
ステップＳ３で、記録装置の同一動作状態が予め設定された時間継続した場合に、その履歴を記録する最短時間が設定されているか否かが判断され、最短時間が設定されている場合、ステップＳ５に進み、最短時間が設定されていない場合、ステップＳ４に進む。
ステップＳ４で、最短時間が０に設定されて、ステップＳ５に進む。
ステップＳ５で、チューナ受信時に受信したチャンネルの履歴を記録するか否かが判断され、チューナ受信時に受信したチャンネルの履歴を記録する場合、ステップＳ６に進み、チューナ受信時に受信したチャンネルの履歴を記録しない場合、ステップＳ７に進む。
ステップＳ６で、チューナ受信記録フラグがセットされて、ステップＳ７に進む。
ステップＳ７で、ダビング時にその履歴を記録するが否かが判断され、ダビング時にその履歴を記録する場合、ステップＳ８に進み、ダビング時にその履歴を記録しない場合、ステップＳ１４に進む。
ステップＳ８で、記録側がＶＣＲであるか否かが判断され、記録側がＶＣＲである場合、ステップＳ９に進み、記録側がＶＣＲでない場合、ステップＳ１０に進む。
ステップＳ９で、ＶＣＲ用ダビングパターンがモニタ装置の画面に表示され、ユーザの指示によりＶＣＲ用ダビングパターンの選択処理が実行されて、ステップＳ１０に進む。
ステップＳ１０で、記録側がＤＶＤであるか否かが判断され、記録側がＤＶＤである場合、ステップＳ１１に進み、記録側がＤＶＤでない場合、ステップＳ１２に進む。
ステップＳ１１で、ＤＶＤ用ダビングパターンがモニタ装置の画面に表示され、ユーザの指示によりＤＶＤ用ダビングパターンの選択処理が実行されて、ステップＳ１２に進む。
ステップＳ１２で、記録側がＨＤＤ部であるか否かが判断され、記録側がＨＤＤ部である場合、ステップＳ１３に進み、記録側がＨＤＤ部でない場合、ステップＳ１４に進む。
ステップＳ１３で、ＨＤＤ用ダビングパターンがモニタ装置の画面に表示され、ユーザの指示によりＨＤＤ用ダビングパターンの選択処理が実行されて、ステップＳ１４に進む。
ステップＳ１４で、ユーザの指示により履歴を記録する記録項目の選択処理と履歴を通知する記録項目の選択処理とが実行されて、ステップＳ１５に進んで処理を終了する。
また、図４の本発明の一実施例の記録装置の履歴記録の動作を示すフローチャートを基に説明する。
記録装置の同一動作が予め設定された最短時間継続すると、ステップＳ２１からステップＳ２２に進み、ステップＳ２２で、記録装置の履歴を記録するか否かが判断され、記録装置の履歴を記録する場合、ステップＳ２３に進み、記録装置の履歴を記録しない場合、ステップＳ２６に進んで処理を終了する。
ステップＳ２３で、記録装置が履歴の記録が選択された記録装置であるか否かが判断され、記録装置が履歴の記録が選択された記録装置である場合、ステップＳ２４に進み、記録装置が履歴の記録が選択された記録装置でない場合、ステップＳ２６に進んで処理を終了する。
ステップＳ２４で、履歴の記録が選択された記録装置のダビングパターンであるか否かが判断され、履歴の記録が選択された記録装置のダビングパターンである場合、ステップＳ２５に進み、履歴の記録が選択された記録装置のダビングパターンでない場合、ステップＳ２６に進んで処理を終了する。
ステップＳ２５で、履歴の記録が選択された記録装置の記録項目の履歴がハードディスクに圧縮されて記録され、ステップＳ２６に進んで処理を終了する。
また、図５の本発明の一実施例の記録装置の履歴通知の動作を示すフローチャートを基に説明する。
ユーザがリモコン装置の操作キーを操作して記録装置の履歴の通知を要求するか、或いは記録装置の履歴を通知する予め設定された通知時間が経過する毎に、ステップＳ３１からステップＳ３２に進み、印字による履歴の通知が設定されているか否かが判断され、印字による履歴の通知が設定されている場合、ステップＳ３３に進み、印字による履歴の通知が設定されていない場合、ステップＳ３６に進む。
ステップＳ３３で、ハードディスクに記録されている記録装置の記録項目の中から履歴の通知が選択された記録項目の履歴が抽出されて印字され、ステップＳ３４に進む。
ステップＳ３４で、印字が不可である否かが判断され、印字が不可である場合、ステップＳ３５に進み、印字が不可でない場合、ステップＳ３６に進む。
ステップＳ３５で、印字エラーの詳細がモニタ装置の画面に表示されて通知され、ステップＳ３６に進む。
ステップＳ３６で、音声による履歴の通知が設定されているか否かが判断され、音声による履歴の通知が設定されている場合、ステップＳ３７に進み、音声による履歴の通知が設定されていない場合、ステップＳ３８に進む。
ステップＳ３７で、ハードディスクに記録されている記録装置の記録項目の中から履歴の通知が選択された記録項目の履歴を抽出されて音声で通知され、ステップＳ３８に進む。
ステップＳ３８で、記録装置の履歴のファイル保存が設定されているか否かが判断され、記録装置の履歴のファイル保存が設定されている場合、ステップＳ３９に進み、記録装置の履歴のファイル保存が設定されていない場合、ステップＳ４８に進んで処理を終了する。
ステップＳ３９で、記録装置の履歴が所定のファイル形式のファイルに記録されてファイルが更新され、ファイルの更新を更新した旨がモニタ装置の画面に表示されて通知され、ステップＳ４０に進む。
ステップＳ４０で、記録装置の履歴のファイル保存ができなかったか否かが判断され、記録装置の履歴のファイル保存ができなかった場合、ステップＳ４１に進み、記録装置の履歴のファイル保存ができた場合、ステップＳ４２に進む。
ステップＳ４１で、ファイル保存エラーの詳細がモニタ装置の画面に表示されて通知され、ステップＳ４２に進む。
ステップＳ４２で、記録装置の履歴のファイル転送が設定されているか否かが判断され、記録装置の履歴のファイル転送が設定されている場合、ステップＳ４３に進み、記録装置の履歴のファイル転送が設定されていない場合、ステップＳ４８に進んで処理を終了する。
ステップＳ４３で、記録装置の履歴のファイルが転送されて、ステップＳ４４に進む。
ステップＳ４４で、ファイル転送が失敗したか否かが判断され、ファイル転送が失敗した場合、ステップＳ４５に進み、ファイル転送が失敗していない場合、ステップＳ４７に進む。
ステップＳ４５で、ファイル転送が所定回数試行されたか否かが判断され、ファイル転送が所定回数試行された場合、ステップＳ４６に進み、ファイル転送が所定回数試行されていない場合、ステップＳ４３に戻って、ステップＳ４３からのステップを繰り返す。
ステップＳ４６で、ファイル転送エラーが通知され、ファイル転送エラー情報が記録装置の履歴のファイルに記録されて、ステップＳ４８に進んで処理を終了する。
ステップＳ４７で、ファイル転送情報が記録装置の履歴のファイルに記録されて、ステップＳ４８に進んで処理を終了する。
【図面の簡単な説明】
【０００７】
【図１】本発明の一実施例の記録装置の構成を示すブロック図である。
【図２】本発明の一実施例の記録装置の履歴の印字例を示す図である。
【図３】本発明の一実施例の記録装置の履歴記録の設定動作を示すフローチャートである。
【図４】本発明の一実施例の記録装置の履歴記録の動作を示すフローチャートである。
【図５】本発明の一実施例の記録装置の履歴通知の動作を示すフローチャートである。
【符号の説明】
【０００８】
１  記録装置
２  チューナ
３  信号処理回路
４  ＶＣＲ部
５  ＤＶＤ部
６  ＨＤＤ部
７  ストレージ制御部
８  ＯＳＤ回路
９  音声出力回路
１０  音声ＲＯＭ
１１  インタフェース回路
１２  マイコン
１３  メモリ
１４  クロック回路
１５  リモコン受信部
１６  アンテナ
２０  リモコン装置
３０  モニタ装置
４０  スピーカ
５０  外部装置
【図１】
2006033118.tif 000003
【図２】
2006033118.tif 000004
【図３】
2006033118.tif 000005
【図４】
2006033118.tif 000006
【図５】
2006033118.tif 000007